(57)【要約】【課題】  筺体に装着されたカバーの脱落を防止する。【解決手段】  この発明によれば、ポリカーボネート製のカバー４の左右両端に、可撓部５４および５４が設けられている。そして、この可撓部５４および５４が内側に弾性変形することによって、当該可撓部５４および５４に設けられた突出部５２および５２が筺体１側の挿入孔７および７に係止（挿入）し、これによって当該筺体１にカバー４が装着される。そして、この装着後、さらにカバー脱落防止具１０が、カバー４に取り付けられる。これによって、可撓部５４および５４を変形可能とするべく切込み部５６および５６が埋められ、当該可撓部５４および５４の変形が阻止される。この結果、筺体１からのカバー４の脱落が防止される。【選択図】        図１
2007142154.tif 000002
【特許請求の範囲】
【請求項１】
筺体に装着されたカバーの脱落を防止するカバー脱落防止具であって、
上記カバーは所定方向に変形可能な係止部を有すると共に該係止部が該所定方向への変形過程を経て上記筐体の所定箇所に係止されることによって該筺体に装着され、
上記筐体に装着された上記カバーの上記係止部が上記所定方向に変形するのを阻止する阻止手段を具備する、カバー脱落防止具。
【請求項２】
上記カバーは上記係止部を上記所定方向に変形可能とするための空間を有し、
上記阻止手段は上記空間を埋めることによって上記係止部の上記所定方向への変形を阻止する、
請求項１に記載のカバー脱落防止具。
【請求項３】
上記カバーは複数の上記係止部を有し、
上記複数の係止部に対応する複数の上記阻止手段を備える、
請求項１または２に記載のカバー脱落防止具。
【請求項４】
上記複数の阻止手段を一体に結合する結合手段をさらに備える、請求項３に記載のカバー脱落防止具。
【請求項５】
上記カバーと同じ色彩である、請求項１ないし４のいずれかに記載のカバー脱落防止具。
【請求項６】
上記カバーと同じ素材によって形成された、請求項１ないし５のいずれかに記載のカバー脱落防止具。
【発明の詳細な説明】
【技術分野】
【０００１】
この発明は、カバー脱落防止具に関し、特に例えば、電子装置等の筺体に装着されたカバーの脱落を防止するためのカバー脱落防止具に関する。
【背景技術】
【０００２】
電子装置等においては、その一部、例えば操作パネルを保護するために、カバーを備えたものがある。例えば、非特許文献１には、当該カバーを備えたアーク溶接機用の電源装置が、開示されている。この電源装置は、図９に示すように、概略箱形の筺体１を備えており、この筺体１の前面の上方部分に、概略矩形状の操作パネル２が設けられている。なお、詳しい図示は省略するが、操作パネル２には、多機能操作子としてのジョグダイヤル３を含む複数の操作子、および発光ダイオード（ＬＥＤ）構成の複数の表示器等が、設けられている。そして、この操作パネル２を全面的に覆うように、概略矩形状のカバー４が設けられている。
【０００３】
このカバー４は、図９に矢印５で示すように、その上方側端縁付近を軸として回動可能とされている。即ち、操作パネル２の操作時は、当該カバー４は、同図に点線４ａで示すように、上方に回動され、言わば開かれる。一方、操作パネル２の非操作時は、カバー４は下ろされ、言わば閉じられる。なお、上述のジョグダイヤル３については、他の操作子に比べて操作頻度が高いので、カバー４が閉じられた状態にあるときでも、当該カバー４に穿設された貫通孔６を介して、外部から操作可能とされている。
【０００４】
さらに、カバー４について詳しく説明すると、図１０に示すように、当該カバー４は、概略平板状の主面部４２と、この主面部４２の左右の両端縁に沿って設けられ互いに対向する２つの側壁部４４および４４と、当該主面部４２の上方側端縁に沿って設けられた上壁部４６と、主面部４２の下方側端縁に沿って設けられた裾部４８とを、有している。このうち主面部４２は、カバー４の主部的部分であり、この主面部４２によって、上述の如く操作パネル２が覆われる。また、この主面部４２の下方寄りの部分に、上述の貫通孔６が、穿設されている。なお、この貫通孔６を含む主面部４２の下方寄りの部分は、当該貫通孔６を介してのジョグダイヤル３の突出量を大きくして当該ジョグダイヤル３の操作性を向上させるべく、後方側（主面部４２の背面側）に向かって凹状に形成されている。
【０００５】
そして、各側壁部４４および４４のそれぞれは、主面部４２に対して直角を成し、かつ後方に向かって延伸するように設けられている。また、それぞれの側壁部４４の上方端部分であって、主面部４２の上方側端縁の延長線上に位置する部分には、円盤状の肉厚部５０が設けられており、この肉厚部５０の中心から当該延長線に沿って外側に突出するように、短円柱状の突出部５２が設けられている。なお、この突出部５２を含む側壁部４４の上方部分５４は、矢印１００で示す内側方向への外力によって、同方向に弾性変形可能とされている。このため、当該側壁部４４の上方部分５４と主面部４２との間、具体的には当該主面部の左右両端縁の上方部分には、主面部４２の上方側端縁から各突出部５０および５０よりも少し下方の位置にまで垂直に細長く切り込まれたＵ字状の切込み部５６および５６が、設けられている。換言すれば、各側壁部４４および４４の上方部分５４および５４と、主面部４２の左右両端縁との間には、当該切込み部５６および５６による間隙が、設けられている。
【０００６】
次いで、上壁部４６は、主面部４２に対して直角よりも１０度ほど大きい鈍角を成し、かつ後方に向かって延伸するように設けられている。なお、この上壁部４６の左右両端縁と、各側壁部４４および４４の上方部分５４および５４と、の間にも、上述の切込み部５６および５６による間隙が、設けられている。
【０００７】
そして、裾部４８もまた、上壁部４６と同様、主面部４２に対して直角よりも１０度ほど大きい鈍角を成している。ただし、当該裾部４８は、主面部４２から前方に向かって延伸するように設けられている。このように裾部４８および上述の上壁部４６が主面部４２に対して鈍角を成しているのは、当該主面部４２によって覆われる操作パネル２の前面が水平方向よりも１０度ほど斜め上方に向いているためであり、つまり、カバー４が閉じられたときにこれら上壁部４６および裾部４８が水平を成すようにするためである。
【０００８】
このような構成のカバー４は、ポリカーボネートによって一体に形成されている。そして、このカバー４（主面部４２）の幅寸法は、当該カバー４の装着先である筺体１の大きさにもよるが、例えば約１５０［ｍｍ］であり、高さ寸法は、約１２０［ｍｍ］である。さらに、カバー４の主面部４２から後方への奥行き寸法（各側壁部４４および４４の後方への延伸寸法）は、最大で約１５［ｍｍ］であり、当該主面部４２から前方への奥行き寸法（裾部４８の前方への延伸寸法）は、約１２［ｍｍ］である。そして、カバー４の厚さ寸法は、全体にわたって約３［ｍｍ］一定である。また、切込み部５６および５６の切込み長さ寸法は、約２０［ｍｍ］であり、幅寸法は、約２［ｍｍ］である。そして、突出部５２および５２の突出寸法も、２［ｍｍ］程度である。
【０００９】
さて、このカバー４が筺体１に装着される際には、図１１に示すように、突出部５２および５２を含む側壁部４４および４４の上方部分、言わば可撓部５４および５４が、外力（例えば組立作業者）によって矢印１００および１００で示す内側方向に押し曲げられる。そして、各突出部５２および５２が、これらに対応して筺体１側に設けられた挿入孔７および７に一致するように、カバー４全体が、当該筺体１の所定位置（操作パネル２の前面側の部分）に押し込まれる。すると、図１２に示すように、各可撓部５４および５４が弾性回復力によって元の状態に復帰し、これによって、各突出部５２および５２がそれぞれに対応する挿入孔７および７に挿入され、言わば係止される。この結果、カバー４が、各突出部５２および５２を通る直線を軸として回動可能な状態で、筺体１に装着される。
【００１０】
なお、このように各突出部５２および５２を含む可撓部５４および５４が弾性変形過程を経て、当該各突出部５２および５２が各挿入孔７および７に係止されるためには、言うまでもなく、各挿入孔７および７の各開口部間の距離が、弾性変形時の各突出部５２および５２の各先端部間の距離よりも大きく、かつ非弾性変形時の当該各突出部５２および５２の各先端部間の距離よりも小さく、さらに当該非弾性変形時の各突出部５２および５２の各基部（根元）間の距離よりも大きいことが、前提とされる。また、それぞれの挿入孔５２の深さ寸法が、突出部５２の突出寸法に比べて大きいことも、前提となる。
【００１１】
【非特許文献１】株式会社三社電機製作所製フルデジタルインバータＴＩＧ溶接機“ＳＡＮＡＲＧ  ＩＤ／ＩＡシリーズ”カタログ、Ｎｏ．２９１Ｗ７１ＤＩＴＪ−０４０９−０．３（ＴＤ）２８５
【発明の開示】
【発明が解決しようとする課題】
【００１２】
しかしながら、筺体１に装着されているカバー４に対して不本意な外力が加わると、例えば当該カバー４が前方や上方に向けて強い力で引っ張られると、場合によっては、図１１に示したように各突出部５２および５２を含む可撓部４４および４４が弾性変形して、当該各突出部５２および５２が各挿入孔７および７から抜けてしまい、ひいてはカバー４が筺体１から外れてしまう、という問題がある。そして、カバー４が何度も外れると、可撓部５４および５４の機械的強度が低下して、当該可撓部５４および５４が破損する恐れがある。
【００１３】
そこで、この発明は、筺体に装着されたカバーの脱落を防止し、ひいては当該カバーの不本意な破損を防止することができるカバー脱落防止具を適用することを、目的とする。
【課題を解決するための手段】
【００１４】
かかる目的を達成するために、この発明は、筺体に装着されたカバーの脱落を防止するカバー脱落防止具であって、当該カバーが、所定方向に変形可能な係止部を有すると共に当該係止部が同所定方向への変形過程を経て筐体の所定箇所に係止されることによって筺体に装着されることを、前提とする。そして、この筐体に装着されたカバーの係止部が当該所定方向に変形するのを阻止する阻止手段を、具備するものである。
【００１５】
即ち、この発明が適用されるカバーは、所定方向に変形可能な係止部を有しており、この係止部が当該所定方向への変形過程を経て筺体の所定箇所に係止されることによって、筺体に装着される。このようなカバーが筺体から脱落するには、破壊の場合を除いて、必ず係止部が所定方向に変形する過程を経る。そこで、この発明では、筺体に装着されたカバーの係止部が所定方向に変形するのを阻止する阻止手段が、設けられる。かかる阻止手段が設けられることで、係止部の所定方向への変形が阻止され、ひいてはカバーの脱落が防止される。
【００１６】
なお、カバーが、例えば係止部を所定方向に変形可能とするための空間を有する場合には、阻止手段は、当該空間を埋めることによって係止部の所定方向への変形を阻止するのが、望ましい。つまり、当該空間を埋めるという極めて簡単な構成によって、カバーの脱落を防止することができる。
【００１７】
また、カバーが、複数の係止部を有する場合には、阻止手段は、これら複数の係止部に対応する複数の阻止手段を備えるのが、望ましい。
【００１８】
そして、この場合、各阻止手段の取り扱いを容易ならしめるために、当該各阻止手段を一体的に結合する結合手段を、さらに設けてもよい。
【００１９】
そしてさらに、この発明のカバー脱落防止具は、カバーと同じ色彩であるのが、望ましい。このようにカバーとカバー脱落防止具との色彩を統一することによって、当該カバー脱落防止具を含むカバー全体の意匠性を保つことができる。
【００２０】
より具体的には、カバー脱落防止具を、カバーと同じ素材で形成するのが、望ましい。
【発明の効果】
【００２１】
上述したように、この発明によれば、筺体への装着状態を維持するべくカバーの係止部の変形が阻止されるので、当該カバーの脱落を防止することができる。従って、カバーが不本意に脱落して、破損することもない。
【発明を実施するための最良の形態】
【００２２】
この発明の一実施形態について、図１〜図８を参照して説明する。
【００２３】
この実施形態は、上述した図１２の構成に、図１に示すように、カバー脱落防止具１０を取り付けたものである。なお、この実施形態におけるカバー４の主面部４２には、カバー脱落防止具１０側の後述する係合用突起１２および１２がそれぞれ挿入される２つの係合用貫通孔６０および６０が、設けられている。これ以外の構成については、図１２を含み上述したのと同様であるので、これら同様な部分には、上述と同一符号を付して、それぞれの詳細な説明は省略する。
【００２４】
即ち、この実施形態におけるカバー脱落防止具１０は、図２に示すようなものであり、具体的には、前方壁部１４と、上方壁部１６と、２つの嵌合壁部１８および１８とを、有している。そして、このうちの前方壁部１４に、上述の係合用突起１２および１２が、設けられている。
【００２５】
より具体的には、前方壁部１４は、横長の長尺状の形状をしており、その幅寸法（例えば図２（ａ）における左右方向の寸法）は、カバー４側の各切込み部５６および５６の各外側側縁間の寸法よりも僅かに、例えば０．数［ｍｍ］ほど、小さい。そして、当該前方壁部１４の高さ寸法（例えば図２（ａ）における上下方向の寸法）は、各切込み部５６および５６の切込み長さ寸法よりも少し、例えば数［ｍｍ］ほど、小さい。さらに、この前方壁部１４の厚さ寸法は、カバー４の厚さ寸法よりも少し小さく、例えば２［ｍｍ］程度である。そして、この前方壁部１４の内側面（後方側の面）の適宜位置、例えば左右両端縁に近い位置に、上述の係合用突起１２および１２が後方に向かって突出するように設けられている。これら係合用突起１２および１２の突出寸法は、カバー４の厚さ寸法よりも少し小さく、例えば２［ｍｍ］程度である。そして、これら係合用突起１２および１２に対応するように、カバー４側の主面部４２に上述の係合用貫通孔６０および６０が設けられている。
【００２６】
上方壁部１６もまた、前方壁部１４と同様、横長の長尺状の形状をしている。そして、この上方壁部１６は、前方壁部１４に対し、カバー４側の主面部４２と上壁部４６とが成すのと同じ角度（約１００度）を成して、当該前方壁部１４の上方側端縁に沿って設けられている。なお、この上方壁部１６の奥行き寸法（例えば図２（ｃ）における上下方向の寸法）は、前方壁部１４の高さ寸法よりも少し、例えば数［ｍｍ］ほど、小さい。また、当該上方壁部１６の幅寸法および厚さ寸法は、それぞれ前方壁部１４の幅寸法および厚さ寸法と同じである。
【００２７】
そして、各嵌合壁部１８および１８は、前方壁部１４および上方壁部１６のそれぞれと直角を成すように、当該前方壁部１４および上方壁部１６の左右両端縁に結合されている。なお、これら嵌合壁部１８および１８の厚さ寸法は、上述の切込み部５６および５６の幅寸法よりも少し小さく、例えば約１．５［ｍｍ］である。換言すれば、各嵌合壁部１８および１８の各内側面間の寸法は、各切込み部５６および５６の各内側側縁間の寸法よりも僅かに、例えば０．数［ｍｍ］ほど、大きい。
【００２８】
このような構成のカバー脱落防止具１０は、カバー４と同じ素材、つまりポリカーボネートによって、一体に形成されている。そして、このカバー脱落防止具１０は、図１に示すように、前方壁部１４の内側面をカバー４の主面部４２上方部分の前方面に接触させると共に、上方壁面１６の内側面（下方側の面）を当該カバー４の上壁部４６の上方面に接触させ、さらに各嵌合壁部１８および１８を各切込み部５６および５６に嵌合させるように、当該カバー４に取り付けられる。そして、このとき、図３に示すように、カバー４側の嵌合用貫通孔６０および６０に、それぞれ対応する嵌合用突起１２および１２が、嵌合（挿入）される。さらに、これら嵌合用突起１２と嵌合用貫通孔６０との嵌合部分には、点線の矢印７０で示すように、カバー４の内側から接着剤が塗布される。これによって、カバー４とカバー脱落防止具１０とが強固に固定される。
【００２９】
このように筺体１に装着済みのカバー４にカバー脱落防止具１０が取り付けられることによって、図４に示すように、当該カバー４の切込み部５６および５６が、カバー脱落防止具１０の嵌合壁部１８および１８によって埋められる（塞がれる）。この結果、上述した突出部５２および５２を含む可撓部５４および５４が変形する余地がなくなり、カバー４に対して不本意な外力が加わっても、当該突出部５２および５２が筺体１側の挿入孔７および７から抜け出ることはない。つまり、筺体に装着されたカバー４にカバー脱落防止具１０を取り付けるという簡単な対策によって、当該筺体１からのカバー４の脱落を確実に防止することができる。従って、カバー４が脱落することによる当該カバー４（特に可撓部５４および５４）の破損を招くこともない。
【００３０】
また、この実施形態におけるカバー脱落防止具１０は、カバー４と同じ無色透明なポリカーボネート製であるので、当該カバー脱落防止具１０を含むカバー４全体の意匠性が極端に損なわれることもない。
【００３１】
なお、カバー４に対するカバー脱落防止具１０の固定方法は、上述した図３のような接着法に限らない。例えば、図５に示すように、カバー脱落防止具１０の嵌合用突起１２として、嵌合用貫通孔６０の開口部周縁に係止可能なカエシ（断面が三角形の部分）を備えた、いわゆる矢印型突起を、採用してもよい。このようにすれば、カバー４に対してカバー脱落防止具１０を任意に着脱可能とすることができる。
【００３２】
また、図６に示すように、嵌合用突起１２の突出寸法をカバー４（主面部４２）の厚さ寸法よりも少し大きくする、つまり当該嵌合用突起１２の先端部分が嵌合用貫通孔６０から少し突き出る程度とする。そして、嵌合用貫通孔６０から突き出した嵌合用突起１２の先端部分を半球状に加熱変形させることによって、当該先端部分に当該嵌合用貫通孔６０の開口部周縁に係止する係止部を形成してもよい。
【００３３】
さらに、図７に示すように、カバー脱落防止具１０に嵌合用突起１２および１２を設けずに、例えば当該カバー脱落防止具１０の上方壁部１６の内側面に接着剤や両面テープ等の接着手段８０を塗布し、この接着手段８０によって当該カバー脱落防止具１０をカバー４（上壁部４６）に固定してもよい。このようにすれば、カバー４側に嵌合用貫通孔６０および６０を設ける必要がなくなり、図９〜図１２に示した従前のカバー４にも、そのままこの発明を適用することができる。
【００３４】
そしてさらに、図８に示すように、カバー４側の２つの切込み部５６および５６を、それぞれ別個の脱落防止具１０ａおよび１０ａによって埋めてもよい。即ち、この図８に示す脱落防止具１０ａおよび１０ａは、上述のカバー脱落防止具１０の前方壁部１４および上方壁部１６の中央部分を削除し、嵌合用突起１２および１２と嵌合壁部１８および１８とを含む当該カバー脱落防止具１０の両端部分のみを残したのと同等のものである。かかる脱落防止具１０ａおよび１０ａによっても、カバー４の脱落を防止できることは、言うまでもない。そして、このようにカバー４の脱落を防止する上で不要とも言える前方壁部１４および上方壁部１６の中央部分を削除することによって、当該脱落防止具１０ａおよび１０ａを含むカバー４全体の意匠性をより良好に保つことができる。ただし、このような別個の脱落防止具１０ａおよび１０ａに比べて、上述の如く一体化された脱落防止具１０の方が、カバー４に取り付ける際の位置決めを含め、取り扱いが容易である。
【００３５】
なお、この実施形態では、アーク溶接機用電源装置のカバー４にこの発明を適用する場合について説明したが、これに限らない。すなわち、これ以外の電子装置のカバーや、電子装置以外に設けられるカバー等に、この発明を適用してもよい。
【００３６】
また、カバー４は、回動可能である必要はなく、筺体１の或る一定の箇所に固定されるものであってもよい。例えば、任意に着脱される電池ホルダ用のカバー等にも、この発明を適用することができる。
【００３７】
そして、上述のカバー脱落防止具１０に代えて、例えば前方壁部１４と２つの嵌合壁部１８および１８とのみを有する言わばコの字状の部材を用いてもよい。また、図８のカバー脱落防止具１０ａに代えて、例えば前方壁部１４と嵌合壁部１８とのみを有する言わばＬ字状の部材を用いてもよい。ただし、この実施形態で説明したカバー脱落防止具１０または１０ａのように、前方壁部１４および上方壁部１６というカバー４に対して２つの接触面を有する構成の方が、当該カバー４に対する安定性が良好である。
【００３８】
さらに、２つの切込み部５６および５６の一方のみを埋めることによってカバー４の脱落を防止することができるのであれば、当該一方の切込み部５６のみを埋める防止具を採用してもよい。例えば、上述したカバー脱落防止具１０の一方の嵌合壁部１８を削除し、或いは図８のカバー脱落防止具１０ａを１つのみ取り付けてもよい。
【００３９】
そしてさらに、カバー脱落防止具１０および１０ａをポリカーボネート製としたが、これに限らない。例えば、アクリルやＡＢＳ（Acrylonitrile
butadiene styrene Resin）等のポリカーボネート以外の合成樹脂製としてもよいし、金属や特殊紙等の合成樹脂以外の素材によって形成してもよい。ただし、特に意匠性を考慮すれば、カバー４と同じ素材によって形成するのが、望ましい。また、可撓部５４および５４は、弾性変形するのではなく、弾性を有しない単に変形可能なものであってもよい。
【００４０】
以上、ここで説明した内容は、飽くまでもこの発明を実現するための一例であり、この発明を限定するものではない。
【図面の簡単な説明】
【００４１】
【図１】この発明の一実施形態を示す図である。
【図２】図１におけるカバー脱落防止具の詳細な構造を示す図である。
【図３】図１におけるＡ−Ａ端面を示す図である。
【図４】図１におけるＢ−Ｂ端面を示す図である。
【図５】図４とは異なる例を示す図である。
【図６】図５とはさらに異なる例を示す図である。
【図７】図６とはさらに異なる例を示す図である。
【図８】図１とは異なる例を示す図である。
【図９】この発明が適用されるカバーを備えたアーク溶接機用電源装置を斜め前方から見た外観斜視図である。
【図１０】図９におけるカバーの詳細な構造を示す図である。
【図１１】図１０のカバーが筺体に装着される際の途中の状態を示す図である。
【図１２】図１０のカバーが筺体に装着された状態を示す図である。
【符号の説明】
【００４２】
１  筺体
２  操作パネル
４  カバー
７  挿入孔
１０  カバー脱落防止具
１６  嵌合壁部
４４  側壁部
５２  突出部
５４  可撓部
５６  切込み部
【図１】
2007142154.tif 000003
【図２】
2007142154.tif 000004
【図３】
2007142154.tif 000005
【図４】
2007142154.tif 000006
【図５】
2007142154.tif 000007
【図６】
2007142154.tif 000008
【図７】
2007142154.tif 000009
【図８】
2007142154.tif 000010
【図９】
2007142154.tif 000011
【図１０】
2007142154.tif 000012
【図１１】
2007142154.tif 000013
【図１２】
2007142154.tif 000014